(57)【特許請求の範囲】
【請求項１】
環境負荷の変更を通知する環境負荷変更通知装置であって、
原単位の名称、単位、その他属性情報等を格納する原単位名称記憶部と、
原単位と原単位の関連又は原単位と環境負荷項目の関連と少なくともその関連数値情報を格納する原単位値記憶部と、
前記原単位値がどの年度とどの組織、公表機関、国等の原単位セットの値かを識別する原単位関連記憶部と、
シナリオを原単位の関連を少なくともシナリオＩＤ、部品、材料、部品の製造工程の順番を示す加工順番とＬＣＡ計算を計上する素材製造、製品製造、使用、リサイクル、廃棄などのステージ情報と原単位から構成される部品単位のＬＣＡ計算条件を格納する部品シナリオ条件記憶部と、
シナリオの計算処理情報を少なくとも計算実行日、計算実行原単位、処理実行フラグから構成されるシナリオステータス管理記憶部と、
前記原単位値記憶部の原単位と原単位の関連又は原単位と環境負荷項目の関連とその数値情報から階層情報に沿って数値を積上げ計算し変更された原単位をリスト化する原単位積上計算処理手段と、
前記した積上計算処理結果を格納する原単位値格納手段と、前記した変更された原単位値リストから関連するシナリオを抽出して前記シナリオステータス管理記憶部の計算実行フラグが計算済のものに対してのみ再計算フラグに変更するためのシナリオ再計算通知手段と、
を備えることを特徴とする環境負荷変更通知装置。
【請求項２】
請求項１に記載の環境負荷変更通知装置において、
前記原単位積上計算処理手段から変更された原単位一覧を生成する手段を更に備えることを特徴とする環境負荷変更通知装置。
【請求項３】
請求項２に記載の環境負荷変更通知装置において、
生成された原単位一覧を元に計算済のシナリオを特定し、再計算を通知する手段を更に備えることを特徴とする環境負荷変更通知装置。
【発明の詳細な説明】
【技術分野】
【０００１】
本発明は、製品のライフサイクルにわたる環境負荷計算に必要となる原単位が変更・削除された場合に、関連するシナリオに通知する装置に関する。
【背景技術】
【０００２】
本技術分野の背景技術として、特開２００８−１０２８７７号公報（特許文献１）がある。この公報には。製品、部品、材料に関する環境負荷を算出する場合、同じような品目から原単位データを特定するためキーワードと原単位を関連付け情報から検索して特定方法が記載されている。
【０００３】
また、原単位間のつながりを表すデータを管理することで、削除の際、警告を発する技術も知られている。
【０００４】
このように、製品、部品、材料、リサイクル、廃棄などライフサイクルアセスメント（ＬＣＡ）を実施するために必要となるパラメータの集まりであるシナリオと原単位を関連付けるための方法について記載はされているが、原単位が変更・削除された場合に製品の環境負荷値が変更されている可能性があることを通知する手段はない。
【０００５】
また、原単位は、ある素材・エネルギーなど単位当たり製造するために要した資源、エネルギー量と排出量を表すデータを指すが、原単位を使用して原単位を作成することがある。例えば、鉄の切削工程では、鉄を1分間切削するために電力を１０ｋｗｈ消費する。この時に使用した原単位は電力原単位（環境負荷量/ｋｗｈ）であり、作成した原単位は鉄切削原単位（環境負荷量/分）である。このような原単位の間につながりがある場合、電力原単位が変更された場合、切削原単位にも影響が及ぶ。更に、電力原単位又は切削原単位と関連づいているシナリオは複数存在するため、原単位が変更された場合の影響範囲は広く、従来の１：ｎの関連付けのみでは処理性能に課題があった。
【先行技術文献】
【特許文献】
【０００６】
【特許文献１】特開２００８−１０２８７７号公報
【発明の概要】
【発明が解決しようとする課題】
【０００７】
従来のＬＣＡ計算装置では、原単位の削除、更新が発生した場合には、原単位変更者から削除・変更した旨を全利用者に情報公開し、利用者が自分の評価シナリオを全て見直した上で、再計算が必要かどうかを個人の責任で判断しなければならなかった。また削除されている場合には、過去の計算条件を示す手段として、計算時の原単位データを個人のＰＣで管理しなければならなかった。
【課題を解決するための手段】
【０００８】
本発明は、少なくとも原単位の名称、単位、その他属性情報等を格納する原単位名称記憶部と、原単位と原単位の関連又は原単位と環境負荷項目の関連と少なくともその関連数値情報を格納する原単位値記憶部と、前記原単位値がどの年度とどの組織、公表機関、国等の原単位セットの値かを識別する原単位関連記憶部と、シナリオを原単位の関連を少なくともシナリオID、部品、材料、部品の製造工程の順番を示す加工順番とＬＣＡ計算を計上する素材製造、製品製造、使用、リサイクル、廃棄などのステージ情報と原単位から構成される部品単位のＬＣＡ計算条件を格納する部品シナリオ条件記憶部と、シナリオの計算処理情報を少なくとも計算実行日、計算実行原単位、処理実行フラグから構成されるシナリオステータス管理記憶部と、前記原単位値記憶部の原単位と原単位の関連又は原単位と環境負荷項目の関連とその数値情報から階層情報に沿って数値を積上げ計算し変更された原単位をリスト化する原単位積上計算処理手段と、前記した積上計算処理結果を格納する原単位値格納手段と、前記した変更された原単位値リストから関連するシナリオを抽出して前記シナリオステータス管理記憶部の計算実行フラグが計算済のものに対してのみ再計算フラグに変更するためのシナリオ再計算通知手段を備える。 
また、本発明は、原単位を削除した場合にも、前記した原単位名称記憶部と原単位値記憶部と原単位関連記憶部と部品シナリオ条件記憶部とシナリオステータス管理記憶部と原単位積上計算処理手段と原単位値格納手段とシナリオ再計算通知手段を備える。
【発明の効果】
【０００９】
本発明によれば、原単位が変更・削除された場合に関係者へ変更箇所の詳細情報を連絡・公開することなく、評価者自身が再計算を必要とするシナリオを容易に抽出できる。
【図面の簡単な説明】
【００１０】
【図１】本発明による環境負荷変更通知装置の代表図。
【図２】原単位名称記憶部の格納項目の例。
【図３】原単位値記憶部の格納項目の例。
【図４】原単位関連記憶部の格納項目の例。
【図５】原単位積上計算処理手段と原単位値格納手段の処理の流れを説明する図。
【図６】原単位積上計算処理手段と原単位値格納手段の処理の流れを説明する図（図５の続き）。
【図７Ａ】原単位コード部品加工について、親子関係をツリー表示したイメージ図。
【図７Ｂ】原単位値積上計算処理用の配列テーブル例。
【図７Ｃ】原単位コードと値の対応表。
【図８】部品シナリオ条件記憶部の格納項目の例。
【図９】シナリオステータス管理記憶部の格納項目の例。
【図１０】シナリオ再計算通知手段の処理の流れを説明する図。
【発明を実施するための形態】
【００１１】
以下、環境負荷通知装置の実施例を図面を用いて説明する。
【実施例１】
【００１２】
本実施例では、原単位の変更を行う場合に、関連するシナリオのステータスを変更し、再計算を通知する装置について説明する。
図１は、本実施例の環境負荷通知装置の構成図の例である。以下に示す種々の記憶部は、ハードディスクなどの記憶装置によって構成される。また、以下に示す種々の手段は、CPUなどの演算装置によって実現される。
【００１３】
図１の環境負荷通知装置は、少なくとも原単位の名称、単位、その他属性情報等を格納する原単位名称記憶部１と、原単位と原単位の関連又は原単位と環境負荷項目の関連と少なくともその関連数値情報を格納する原単位値記憶部２と、前記原単位値がどの年度とどの組織、公表機関、国等の原単位セットの値かを識別する原単位関連記憶部３と、シナリオを原単位の関連を少なくともシナリオID、部品、材料、部品の製造工程の順番を示す加工順番とＬＣＡ計算を計上する素材製造、製品製造、使用、リサイクル、廃棄などのステージ情報と原単位から構成される部品単位のＬＣＡ計算条件を格納する部品シナリオ条件記憶部４と、シナリオの計算処理情報を少なくとも計算実行日、計算実行原単位、処理実行フラグから構成されるシナリオステータス管理記憶部５と、前記原単位値記憶部の原単位と原単位の関連又は原単位と環境負荷項目の関連とその数値情報から階層情報に沿って数値を積上げ計算し変更された原単位をリスト化する原単位積上計算処理手段６と、前記した積上計算処理結果を格納する原単位値格納手段と７、前記した変更された原単位値リストから関連するシナリオを抽出して前記シナリオステータス管理記憶部の計算実行フラグが計算済のものに対してのみ再計算フラグに変更するためのシナリオ再計算通知手段８を備える。 
第一の実施例の構成要素について順に説明する。尚、説明のため、製品の構成や、原単位、プロセス、環境負荷の値などを例示するが、これらは全て架空のものとする。
【００１４】
原単位名称記憶部１が格納する原単位の種類は、電力を１ｋｗｈ製造したときの原単位や、鉄を１ｋｇ製造したときの原単位、鉄プレス加工をＡ工場にて1分間行った場合の原単位、ある特定部品工程において塗装を1回行う場合の原単位、アルミを１ｋｇリサイクル処理する場合の原単位など、ライフサイクルを通じて、素材、エネルギー、製造プロセス、ライフサイクル工程様々である。原単位名称記憶部１では、このような多岐にわたる原単位のうち、名称と分母の単位と原単位作成時の投入量を格納する。具体的なテーブルを図２に示す。図２は原単位をユニークに管理するための原単位コード１１と原単位名称１２、原単位の種別を表す属性情報の原単位区分１３、原単位を作成したときの単位あたりの投入量を現す原単位作成ユニット量１４と原単位作成単位１５を備える。そのほか、図２のテーブルには、原単位に関する情報を記録するコメントや作成日、更新日などを加えても良い。電力を１ｋｗｈ製造した場合の記録方法は、行１７のように原単位名称１２に電力、原単位区分１３にエネルギー、原単位作成ユニット量１４に１、原単位作成単位１５にｋＷｈと記録する。作成単位が１部品あたりの場合で、環境負荷量がｋｇに比例する場合などは、行１６のように原単位作成ユニット量１４に部品重量を記載しても良い。システム内において、原単位名称はユニークにしておくことで、年度や組織、公表機関、国等の原単位セット別に再計算を簡易に行える。
【００１５】
原単位値記憶部２は原単位と原単位関連又は原単位と環境負荷項目の関連を記録する。図３に鉄プレス原単位の例を示す。図３の親原単位コード２１、子原単位コード／インベントリーコード２２、原単位関連コード２３など○○コードとあるものは、システムが認識しやすい英数字で表現してもよく、その場合のコードの意味や関連する属性は別のテーブルを用意すると良いが、ここでは、説明を明瞭にするために省略する。図３は親原単位コード２１と子原単位コード／インベントリーコード２２と原単位関連コード２３と積上げ区分２４で一意に決まるテーブルである。鉄プレス原単位は図２の行１９と関連する。Ａ工場で１０分鉄プレスの加工処理を行う時に要するエネルギーは図３の行２９で現される。動力エネルギーとして電力を２０．０８（ＫＷｈ）とＬＰＧを５.３０３（ｋｇ）を使用し、燃料燃焼に伴って１５．９（ｋｇ−ＣＯ２）を排出する。値（単位あたり）２６は前記値（ユニット）２７を１／１０分した値である。ここで使用されるエネルギーはさらにそれと同じ原単位コードが親原単位コードに存在する。例えば行２９の子原単位コード／インベントリーコード２２“電力“は、行３１に親原単位コード２１に２２と同じ”電力“が存在する。行２２の”電力“は電力を製造した時に排出されるＣＯ２量を意味し、１ｋＷｈあたり０．３２４ｋｇ−ＣＯ２排出する。同様に行２９のＬＰＧは行３２に同じ親原単位コード２１を持ち、ＬＰＧを１ｋｇ製造した時のＣＯ２排出量が格納されている。また行３０に鉄プレスのＣＯ２排出量が前記したＣＯ２排出量１５．９ｋｇと異なる値で格納されているが、これは、鉄プレスに要したエネルギーの燃焼とエネルギー製造に伴うＣＯ２排出量を合計した値である。
【００１６】
前記のように、原単位は階層情報を持ち、階層は複数階層に及ぶ。原単位値記憶部２ではこれを積上前と積上後で識別して格納する事で、ＬＣＡ計算時の処理不可を減らす事ができる。
【００１７】
また、原単位値記憶部２では、図３の行３３のように、原単位関連コード２３違いによる原単位値を格納できる。
【００１８】
原単位関連記憶部３は前記原単位関連コード２３について説明する記録場所である。図４に例を示す。○○コードとあるものは、システムが認識しやすい英数字で表現してもよく、その場合のコードの意味や関連する属性は別のテーブルを用意すると良いが、ここでは、説明を明瞭にするために省略する。図４の原単位関連コード３１は図３の原単位関連コードと２３と等しくてはならない。行３６の例では、２０１０年用に用意した共通原単位を意味し、これを編集できるユーザーはシステム管理者権限のユーザーのみだが、使用ユーザーは、システム内に登録された全てのユーザーである。
【００１９】
一方、行３７は２０１０年用に用意した研究太郎のみが使用できる研究開発用の原単位を意味し、全てのユーザーが利用できる原単位がどうかは、共通フラグ３４で識別される。行３７に関連付く原単位値が前記原単位関連記憶部３に存在しないときは、同じ年度の共通フラグ３４が“共通”の原単位関連コード行３６に関連付く原単位値を使用してもよい。同じ年度内に“共通“は一つである必要がある。
【００２０】
なお、図示はしないが原単位を管理するための画面レイアウトを説明する。原単位は絞込み検索しやすいよう、図２原単位名称１２と原単位区分１３と図４原単位年度３２と原単位セット３３で指定できると良い。検索結果は、絞込み条件に従って複数行表示でき、選択した原単位を前記原単位名称記憶部１と原単位値記憶部２と原単位関連記憶部３から抽出して、対象レコードに対して一括して表計算ソフトにダウンロードする事ができると良い。
【００２１】
原単位積上計算処理手段６は前記原単位名称記憶部１と原単位値記憶部２と原単位関連記憶部３を使用して、積上前から積上後の計算処理を行う手段である。例えば図３の行３０は鉄プレス原単位の積上後のＣＯ２排出量であるが、これは行２９の積上前と行３１と行３２を使用して計算され、行３０の算出式は２．００８（Ｋｗｈ／分）＊０．３２４（ｋｇ−ＣＯ２／Ｋｗｈ）＋０．５３０３＊１．９（ｋｇ−ＣＯ２／ｋｇ）＋１．５９（ｋｇ−ＣＯ２／分）＝３．２４（ｋｇ／分）である。
【００２２】
以下に図５のフローに沿って原単位積上計算処理手段６及び原単位値格納手段７を説明する。
【００２３】
処理６０１は、原単位を新規登録又は更新登録するための受付画面を表示する。次に処理６０２にて登録データを１行づつ入力チェックを行い、入力チェックエラーが０件のデータに対して登録情報の受付処理を行う。
【００２４】
処理６０３は、登録原単位が新規登録か更新登録かを識別するための処理で、登録一覧に予め処理区分を用意し、新規と更新を判断できるようにする。新規登録の場合には原単位名称はシステム内で一意である必要があるため、処理６０４の原単位名称の重複チェックを行い、重複がなければ処理６０５に進んで原単位名称記憶部１にレコードを追加し、原単位名称情報を登録する。重複があった場合には、エラーを返し登録処理を中断する。更新登録の場合には、処理６０６に進み原単位名称記憶部１から更新対象と一致する原単位コードのレコードを抽出し、処理６０７で原単位情報の更新日付を現在のシステム日付に更新する。
【００２５】
新規作成及び更新対象の原単位が関連するシナリオを抽出するために、対象の原単位コードを登録リスト(i)に記録する。
【００２６】
次に処理ループの初期化処理として、処理６０９、６１０に進む。対象となる原単位コードのカウンタiを０にクリアする。また、ＣＯ２やＮＯｘ、ＳＯｘなど前記環境負荷項目をインベントリー呼ぶが、このインベントリーコードのカウンタjを０にクリアする。
【００２７】
処理６１１と処理６１２は、各々原単位と原単位の関連又は原単位と環境負荷項目の関連定義する原単位値記憶部２より、親原単位コードは変数aに格納し、子原単位／インベントリーコードは変数bに格納する。
【００２８】
処理６１３は、積上計算処理のための前処理である。原単位値記憶部２には原単位と原単位の関連又は原単位と環境負荷項目の関連を親子の関係で定義しているため、レベル擬似列を用いて親子関係から階層レベルを付与し、レベル順に親子データを生成する。
【００２９】
図７Aは、原単位コード部品加工について、インベントリーコードＣＯ２のみを対象に親子関係をツリー表示したイメージ図である。ある部品重量１ｋｇあたりを加工するための、プロセスとして、材料Ａをプレスした中間部品Ａと複数部品を５回溶接して生成された中間部品Ｂを組立し、組立後の部品に、塗装１回あたりに１０ｇのペンキを使用するプロセスを３回処理して製造する。この時に部品重量１ｋｇあたりのプレス処理の結果ＣＯ２を１０ｇ発生したものとする。そのほか、溶接、ペンキ処理においても同様である。処理６１３では、インベントリーフラグ１かつ子原単位／インベントリーコード＝インベントリーコードすなわちＣＯ２を開始行として、前記ａ＝ｂを結合条件に、順に親子関係を展開し、階層レベルを付加することで、図７Bのデータ一覧を得る。レベル７３は階層レベルを指し、値（単位あたり）７５は原単位値記憶部２から取得した値である。積上後の値（単位あたり）の説明は後述の処理について説明する。
【００３０】
処理６１４は、更新対象の原単位が関連するシナリオを抽出するために、対象の原単位コードを抽出、記録する処理である。処理６０８で生成した登録リスト(i)の原単位コードを処理６１３で生成したデータ一覧の親原単位コードが一致する行に対して、データ一覧のうち、レベルがＭＡＸの場合には、既に登録リスト(i)に原単位コードが記録されているため、追加登録は不要だが、レベルがＭＡＸでない場合には、階層レベル以上の全ての原単位コードについて値が更新されるため、変更された原単位リストとして登録リスト(ii)へ記録する。
【００３１】
処理６１７は積上計算を行う演算部分である。まず処理６１５は処理６１３で生成したデータ一覧をレベル１から数値の大きいレベルに向かって処理する。現在の行次行のレベルが現在行のレベル＋１の場合、現在行の値＊次行の値を次行の値に設定する。図７Bの７６が計算結果の値の例である。２行目は１行目の値（単位あたり）１０に２行目の値（単位あたり）１を積算した結果１０が格納されている。同様、３行目は２行目の値（単位あたり）１０に３行目の値（単位あたり）１を積算した結果１０が格納されている。４行目はレベルが１のため、新たに積算処理を開始する。処理６１６は、前記処理６１５の計算結果を原単位コードと共に配列７７に格納する。このとき、図7Cの７８は配列に既に同じ原単位コードが存在している場合、現在の行の値＋配列の該当する原単位コードの値を設定する。処理６１７は処理６１３で生成したデータ一覧からデータがなくなる迄繰り返し実行する。
【００３２】
次に、処理６１８で原単位の積上げ結果を対象のインベントリーコードついて原単位値記憶部２へ格納する処理へ進む。処理６１６の配列一覧には、インベントリーコードに対する積上計算処理後の原単位コードと原単位値が格納されているので、これを原単位値記憶部へ親原単位コードに配列の原単位コードを、子原単位／インベントリーコードにカウンタｊのインベントリーコードを、値（単位あたり）に配列の値（単位あたり）を格納する。その際、積上区分は１にセットする。
【００３３】
以上の説明では、原単位コードａに関連する原単位値の積上をカウンタｊのインベントリーコードについて処理したので、次にのインベントリーコードを得るためｊのカウンタを＋１して６１２より処理を繰り返す。ｊのカウンタが予め計算されていたＭＡＸ値である場合には、当該原単位コードａにおけるインベントリーコードが存在しないため、次の原単位コードを取得するため、処理６２１へ進む。親原単位コードのカウンタiが予め計算されていたＭＡＸ値でない場合には、次の原単位コードについて積上計算処理を実行するため、カウンタを＋１して６１１より処理を繰り返す。ＭＡＸ値である場合には、登録リスト(i)の原単位コードについて全て積上げ計算処理が実行されたため、処理を終了する。
【００３４】
なお、前記原単位積上計算処理６及び前記原単位値格納手段７に関する説明は、インベントリーコードが途中のプロセス上に存在しても良い。その場合も、前記同様の処理にて積上計算が可能である。
【００３５】
次に、前記登録リスト(i)、登録リスト(ii)から、関連するシナリオを抽出して再計算を促す通知手段について説明する。
【００３６】
部品シナリオ条件記憶部４は、ＬＣＡ計算のための計算条件が格納された場所である。図８に例を示す。部品シナリオ条件記憶部４は少なくとも、評価対象の情報を管理するシナリオＩＤ４１とＬＣＡ評価に使用する部品の構成情報を示す親品番４２と子品番４３と材料から部品を製造するまでの切削、プレスなどの材料加工プロセスの順番を示す加工順番４４とＬＣＡ計算上どのステージに計算値をカウントするかを示す評価ステージコード４５と計算に使用する原単位コード４６とＬＣＡ計算方法を示す計算ロジックコード４７を有する。そのほか、歩留率４８や計算に使用するパラメータ４９，５０を必要に応じて格納する。なお、○○コードとあるものは、システムが認識しやすい英数字で表現してもよく、その場合のコードの意味や関連する属性は別のテーブルを用意すると良いが、ここでは、説明を明瞭にするために省略する。
【００３７】
例えば行５１は、システムが認識するＴＯＰノード、すなわち製品に関するＬＣＡ計算条件を格納する行である。新型ＰＣ評価で新型ＰＣは電力を年間２００ｋｗｈ消費し、5年間連続使用するものとする。このとき、ＬＣＡ計算値をカウントする評価ステージは使用ステージで、電力原単位＊パラメータ１（２００ｋｗｈ）＊パラメータ２（5年）で計算する。行５６の例の場合、キーボードユニックの構成部品である基板について、１０ｔトラックで輸送距離１００ｋｍの距離を積載率９０％で運搬したときに、ＬＣＡ計算値をカウントするステージは、部品輸送ステージで、１０ｔトラック原単位＊パラメータ１（１００ｋｍ）／パラメータ２（９０％）で計算することを示すデータである。
【００３８】
ＬＣＡ計算は、前記部品シナリオ条件記憶部４で指定された値によって計算される。
【００３９】
シナリオステータス管理記憶部５は、シナリオの基本情報や計算状態が格納された場所である。図９に例を示す。シナリオステータス管理記憶部は少なくとも、シナリオをユニークに管理するためのシナリオＩＤ５１とシナリオ名称５２とＬＣＡ計算が未計算か計算済か再計算かの状態を格納する計算実行フラグ５４と計算済のＬＣＡ結果を作成者以外に参照しているかを管理する公開フラグ５５と計算に使用した又は計算に使用する原単位の年とと原単位セットを管理する原単位関連コード５６を有する。そのほか、必要に応じて計算実行日や分解時間や環境適合設計評価ランクなどの予備属性を格納しても良い。なお、○○コードとあるものは、システムが認識しやすい英数字で表現してもよく、その場合のコードの意味や関連する属性は別のテーブルを用意すると良いが、ここでは、説明を明瞭にするために省略する。
【００４０】
シナリオ再計算通知手段８は、前記積上計算処理手段６及び前記原単位格納手段７で既に評価済のシナリオのうち原単位が変更されていて、再計算を実施する必要の可能性を通知する手段である。図１０のフロー及び図１１の画面例に沿って説明する。なお、
処理１００１は、図１１の画面例のようにログインユーザーが現在ＬＣＡ評価を実施している又は管理しているシナリオ一覧を表示するための表示画面である。処理１００２は画面表示の初期読込みに図６のフローで作成した登録リスト(i)及び登録リスト(ii)を取得する処理で変更されている原単位の一覧を得る事ができる。処理１００３は画面例の評価フォルダ内に表示するシナリオ一のシナリオＩＤ一覧を取得するための処理である。
【００４１】
処理１００４は、処理１００３の取得ＩＤのうち処理１００２の原単位コードが部品シナリオ条件記憶部４で使用されているシナリオＩＤを抽出する。これにより、原単位が変更されたために、ＬＣＡ計算結果が最新の原単位を使用していないシナリオがわかる。次に、そのシナリオに対し、再計算を通知するために、計算フラグが計算済のシナリオをの計算状態を再計算へ更新する。処理１００６はシナリオの計算条件が変更された事を評価者が判断できるように、画面例の評価フォルダの該当するシナリオを赤表示する事、再計算の通知を行う。処理１００７は、例えば赤表示されたシナリオを選択した場合に、シナリオ基本状況を読み込んだ後、処理１００２で得た原単位リストから、処理１００４で該当した原単位コードを抽出して、変更又は存在しない原単位リストを生成する処理である。
【００４２】
以上のように、第一の実施例の構成をとる事で、原単位値が変更された場合に関連する原単位が取得でき、シナリオ評価者が評価済のＬＣＡ結果についてデータを確認する事なく、再計算が必要かを判断できる。
【符号の説明】
【００４３】
１：  原単位名称記憶部
２：  原単位値記憶部
３：  原単位関連記憶部
４：  部品シナリオ条件記憶部
５：  シナリオステータス管理記憶部
６：  原単位積上計算処理手段
７：  原単位値格納手段
８：  シナリオ再計算通知手段
【図１】
0005439328.tif 000002
【図２】
0005439328.tif 000003
【図３】
0005439328.tif 000004
【図４】
0005439328.tif 000005
【図５】
0005439328.tif 000006
【図６】
0005439328.tif 000007
【図７Ａ】
0005439328.tif 000008
【図７Ｂ】
0005439328.tif 000009
【図７Ｃ】
0005439328.tif 000010
【図８】
0005439328.tif 000011
【図９】
0005439328.tif 000012
【図１０】
0005439328.tif 000013